(57)【要約】【課題】  エレベーター乗場出入口装置におけるスクリーン手動閉鎖装置の設置構造を簡略化し、コストの低減を可能にした装置を提供する。【解決手段】  エレベーター乗場出入口装置における遮煙・遮炎スクリーン組込型三方枠の構成部位である縦枠３内にスクリーン手動閉鎖装置７を嵌設し、一体の組込み構成とする。すなわち、エレベーター乗場の壁にスクリーン手動閉鎖装置７を三方枠３とは別に施工する必要がなくなり、建築壁との取合に関する検討、据付け段取を行なう必要が無く、設置コストを低減でき、また乗場の壁面の意匠性が向上する。【選択図】        図２
2005212934.tif 000002
【特許請求の範囲】
【請求項１】
エレベーターの乗場出入口装置における遮煙・遮炎スクリーン組込型三方枠の構成部位である縦枠内にスクリーン手動閉鎖装置を嵌設したことを特徴とするエレベーター乗場出入口装置。
【請求項２】
スクリーン手動閉鎖装置と遮煙・遮炎スクリーン装置間に、両者を接続する手動閉鎖装置ワイヤーを保護する管体を配設したことを特徴とする請求項１記載のエレベーター乗場出入口装置。
【請求項３】
スクリーン手動閉鎖装置の扉に設けた、押し釦操作孔を、弾性変形した状態で外れる取付け構造で固定した樹脂板で塞いだことを特徴とする請求項１記載のエレベーター乗場出入口装置。
【発明の詳細な説明】
【技術分野】
【０００１】
この発明は、エレベーター乗場出入口装置におけるスクリーン手動閉鎖装置の設置構造に関するものである。
【背景技術】
【０００２】
従来、建物の開口部等に設置される建築用シャッターにおけるブレーキ解放用の手動操作装置の技術であって、装置の部品点数を少なくして簡略化を図ったものがあった（例えば特許文献１参照）。
【０００３】
【特許文献１】特開平９−３２４５９０号公報
【発明の開示】
【発明が解決しようとする課題】
【０００４】
従来のブレーキ解放用の手動操作装置においては、手動操作装置は、シャッターカーテンを開放、停止、閉鎖制御するための押し釦式の操作スイッチと共に躯体に埋設した操作ボックスに配設された構造であって、しかも押し釦に対向する部位は押し破ることによって窓が開き、押し操作（ブレーキ解放操作）ができるようになっている。つまり操作ボックスは建物の壁に埋め込まれており、壁との取合、埋め込むための段取等の検討が必要であり、それだけ据付コストが嵩み、手動操作装置に対するワイヤの連結及びその保護が不完全であり、更に押し釦操作後に窓の新設が必要である等の問題点があった。
【０００５】
この発明は上記のような問題を解決するためになされたものであり、その第１の目的は手動閉鎖装置の設置構造の簡略化を計りコストの低減を可能にしたエレベーター乗場出入口装置を得るものである。
【０００６】
また、第２の目的は、手動閉鎖装置ワイヤーの完全な保護を図るものであり、さらに第３の目的はメンテナンス性の向上を得るものである。
【課題を解決するための手段】
【０００７】
この発明の請求項１に係るエレベーター乗場出入口装置は、エレベーター乗場出入口装置における遮煙・遮炎スクリーン組込型三方枠の構成部位である縦枠内にスクリーン手動閉鎖装置を嵌設したものである。
【発明の効果】
【０００８】
この発明の請求項１に係るエレベーター乗場出入口装置によれば、遮煙・遮炎スクリーン組込型三方枠の構成部位である縦枠内にスクリーン手動閉鎖装置を嵌設し一体化したものであって、手動閉鎖装置を縦枠と一体構造にできるので、乗場の壁にスクリーン手動閉鎖装置を三方枠とは別に施工する必要がなくなり、建築壁との取合に関する検討、据付け段取を行なう必要が無く、設置コストを低減でき、また乗場の壁面の意匠性が向上する。
【発明を実施するための最良の形態】
【０００９】
実施の形態１．
以下、この発明の実施の形態１によるエレベーター乗場出入り口装置を図に基づいて説明する。
図１はこの発明の実施の形態１によるエレベーター乗場出入口装置の乗場側正面図、図２は図１におけるＡ−Ａ断面図である。図において、１は乗場の戸、２は幕板、３は縦枠、４は遮煙・遮炎スクリーン装置、５はガイド枠、６は遮煙・遮炎スクリーン、７はスクリーン手動閉鎖装置、９は手動閉鎖ワイヤ、９ａはアウタワイヤ、１０は壁体である。
【００１０】
上記スクリーン手動閉鎖装置７は、ブレーキを解放してスクリーンを閉鎖方向に作動させる操作装置であり、ブレーキ解放操作はスクリーン手動閉鎖装置７の押し釦を押圧する。また上記スクリーン手動閉鎖装置７は縦枠３内に嵌設した状態で組込み、手動閉鎖ワイヤ９は縦枠３の内部を通線して遮煙・遮炎スクリーン装置４に接続されている。
【００１１】
以上のように本実施の形態によれば、スクリーン手動閉鎖装置７を縦枠３と一体構造に構成しているので、乗場の壁体１０にスクリーン手動閉鎖装置７を三方枠３と別に施工する必要がなく、建築壁との取合についての検討、または埋め込むための段取の必要がないためにコストが低減できる。また手動閉鎖ワイヤ９の通線施工が容易となること、及び乗場の壁体１０面の意匠性が向上する。
【００１２】
実施の形態２．
図３はこの発明の実施の形態２によるエレベーター乗場出入口装置の乗場側正面図、図４は図３におけるＢ−Ｂ断面図である。本実施の形態においては、スクリーン手動閉鎖装置７と遮煙・遮炎スクリーン装置４間に両者を接続する管体１１を設け、手動閉鎖装置ワイヤ９をアウタワイヤ９ａとともに上記管体１１内に挿通配線している。
【００１３】
以上のように本実施の形態によれば、縦枠３内に管体１１を配設し、これに手動閉鎖装置ワイヤ９を通線したので、請求項１と同等の効果が得られると同時に、三方枠３内の空隙にモルタル１２等を充填するという建築仕上げにも対応でき、しかも必要に応じて手動閉鎖ワイヤ９の取換が可能となる。
【００１４】
実施の形態３．
図５はこの発明の実施の形態３によるエレベーター乗場出入口装置を示し、実施の形態１におけるＣ−Ｃ断面図であり、図６（ａ）は弾性樹脂板の取付構造を示す正面図、（ｂ）は背面図、（ｃ）は弾性樹脂板の形状を示す正面図である。本実施形態においては、スクリーン手動閉鎖装置７の扉１３の中央部に操作孔１４を設け、弾性樹脂板１５で上記操作孔１４を塞ぐように配置する。上記弾性樹脂板１５の両側縁には例えば半円形等の切欠き部１６を設け、扉１３の裏面に立設した小ねじ１７を上記切欠き部１６に嵌め込みナット１８で緩く固定することにより、弾性樹脂板１５を扉１３の裏面に保接している。つまり指等で強く押圧することによって弾性樹脂板１５が変形（湾曲）し、小ねじ１７から切欠き部１６が外れて脱落するように構成されている。
【００１５】
以上のように本実施の形態によれば、指等で弾性樹脂板１５を押圧操作しない限りスクリーン手動閉鎖装置７を開くことができないため、非常時以外はスクリーン手動閉鎖装置７の操作ができず、いたずらに操作することが防止される。また、非常時には弾性樹脂板１５を押し外すことにより、操作孔１４に指をかけて扉１３を空け、迅速にスクリーン手動閉鎖装置７の押し釦を操作することができる。さらに、意匠両側に突出する取っ手等を扉１３に設ける必要がないので、出入口寸法が確保でき、三方枠３の意匠性も向上する。また弾性樹脂板１５は湾曲変形した形で外れるため、破損することなく再利用ができ、メンテナンス性が向上する。
【図面の簡単な説明】
【００１６】
【図１】この発明の実施形態１によるエレベーター乗場出入口装置の正面図である。
【図２】図１におけるＡ−Ａ断面図である。
【図３】この発明の実施の形態２によるエレベーター乗場出入口装置の正面図である。
【図４】図３におけるＢ−Ｂ断面図である。
【図５】この発明の実施の形態３によるエレベーター乗場出入口装置を示し、図１におけるＣ−Ｃ断面図である。
【図６】（ａ）は弾性樹脂板の取付構造を示す正面図、（ｂ）は背面図、（ｃ）は弾性樹脂板の形状を示す正面図である。
【図１】
2005212934.tif 000003
【図２】
2005212934.tif 000004
【図３】
2005212934.tif 000005
【図４】
2005212934.tif 000006
【図５】
2005212934.tif 000007
【図６】
2005212934.tif 000008